(57)【要約】【課題】騒音を抑えつつ吸込仕事率の向上を達成する電気掃除機の提供を目的とする。【解決手段】集塵室と電動送風機室とを備える掃除機本体と、前記電動送風機室に収納される電動送風機と、を有する電気掃除機において、前記集塵室と前記電動送風機室とを区画する部分の一部が固定された格子部であり、前記格子部は、前記電動送風機室側およびまたは集塵室側の少なくとも一方に突出する凸部（凸形状）を円弧形状に有していることを特徴とする。【選択図】図３
2015217183.tif 000002
【特許請求の範囲】
【請求項１】
集塵室と電動送風機室とを備える掃除機本体と、前記電動送風機室に収納される電動送風機と、を有する電気掃除機において、
前記集塵室と前記電動送風機室とを区画する部分の一部が固定された格子部であり、
前記格子部は、前記電動送風機室側およびまたは集塵室側の少なくとも一方に突出する凸部（凸形状）を円弧形状で有していることを特徴とする電気掃除機。
【請求項２】
請求項１に記載の電気掃除機において、前記凸部が格子部に取りつけられる別体で構成されていることを特徴とする電気掃除機。
【発明の詳細な説明】
【技術分野】
【０００１】
本発明は、電動掃除機に関するものである。
【背景技術】
【０００２】
従来、電気掃除機においては、吸込み力が強いものが一般に望まれている。吸込み力を上げるには、電動送風機のパワーアップも考えられるが騒音や電流を考えると限界がある。一方で電気掃除機内部の風路を工夫した形状にすることで損失を低減することも効果的であり、特許文献1に記載の電気掃除機では、フィルタ枠の集塵部側に凸を設け、整流化し吸込仕事率を向上させている。
【先行技術文献】
【特許文献】
【０００３】
【特許文献１】特開２０１４―８１８０号公報
【発明の概要】
【発明が解決しようとする課題】
【０００４】
吸込み力が強いとは、吸込仕事率が高いことであり、この向上には、電動送風機の吸気抵抗と排気抵抗を低く抑えることも重要である。
【０００５】
一方、特許文献１に記載の技術は、集塵袋を引き出す際にフィルタ枠部材が上下に連動し摺動し、フィルタ枠部材の集塵側に凸部を設けて乱流を低減し吸気抵抗を抑えている。しかし、フィルタ枠部材は上下に摺動するため、必ずしも所定の位置に収納されず多少ずれた位置になる恐れもある。そのため、フィルタ枠部材が上下にずれても吸気抵抗が増大しない凸部にするため、凸部の形状に制限が生じる。
【０００６】
本発明は、摺動するフィルタ枠部材の位置や有無に関係なく、凸部の形状を最適にでき、部品点数も増やすことなく、吸気抵抗を抑え吸込仕事率の向上に加え、騒音の上昇を抑えた電気掃除機を提供することを目的にある。
【課題を解決するための手段】
【０００７】
本発明は、集塵室と電動送風機室とを備える掃除機本体と、前記電動送風機室に収納される電動送風機と、を有する電気掃除機において、
前記集塵室と前記電動送風機室とを区画する部分の一部が固定された格子部であり、
前記格子部は、前記電動送風機室側に突出する凸部（凸形状）を円弧形状に有していることを特徴とする。
【発明の効果】
【０００８】
本発明は、部品点数を増やすことなく、吸込仕事率の向上に加え、騒音の上昇を抑えた電気掃除機を提供することができる。
【図面の簡単な説明】
【０００９】
【図１】本発明の実施形態に係る電気掃除機の外観斜視図である。
【図２】本発明の実施形態に係る掃除機本体の縦断面図である。
【図３】本発明の実施形態に係る格子部の斜視図である。
【図４】本発明の実施形態に係る凸部の三面図である。
【図５】本発明の実施形態に係る格子部の背面図である。
【図６】図５の格子部のＸ−Ｘ断面図である。
【発明を実施するための形態】
【００１０】
以下に、本発明の実施形態について適宜図面を参照しながら詳細に説明する。
【００１１】
なお、以下の説明における前後の方向は、図１に示す掃除機本体１０１の前後の方向を基準とする。
【００１２】
図１に示すように、本実施形態に係る電気掃除機１０１は、後記する電動送風機２０１（図２参照）を内側に収納する掃除機本体１０１を備えると共に、この掃除機本体１０１の前側には、ホース１０２と、延長管１０３と、吸口体１０４とがこの順番に接続されて構成されている。
【００１３】
掃除機本体１０１は、図２に示すように、本体内の前側に集塵室２０２が区画されると共に、後側に電動送風機室２０３が区画されている。この集塵室２０２と電動送風機室２０３とを区画する部分の一部に固定された格子部２０４が設けられ、この格子部２０４の格子の間が空気の通り道（吸気流路）となる。格子部２０４の前側にはフィルタ部２０５が設けられている。集塵室２０２と電動送風機室２０３とは、フィルタ部２０５、格子部２０４を介して連通している。
【００１４】
集塵室２０２には、紙パック２０６が収納されている。この紙パック２０６の開口は、ホース１０２（図１参照）が接続されるホース継ぎ手２０７側に位置するように配置されている。
【００１５】
なお、本実施形態の電気掃除機１０１では、紙パック２０６を使用する方式について説明しているが、本発明はサイクロン方式のものであってもよい。サイクロン方式の電気掃除機では、集塵室２０２にサイクロン室が形成されることとなる。
【００１６】
電動送風機室２０３には、電動送風機２０１が収納されている。この電動送風機２０３は、その前側に形成された吸入口２０８がフィルタ部２０５側（掃除機本体１０１の前側）に向くように配置されて、防振ゴムを介して電動送風機室２０３内に取り付けられている。
（凸部について）
次に、凸部３０１について説明する。吸入口２０８と同心円の大きさの異なる複数の円を組み合わせた形状で格子部２０４が形成され、図３に示すように格子部２０４の電動送風機側の面２０４ｂに凸部３０１を設けている。凸部３０１は格子部２０４の円の一部と同一形状の円弧状とし、吸入口２０８に沿った形となっている。そのため吸入口２０８より空気を吸い込む際に最適な形状となっている。
【００１７】
凸部３０１は、格子部２０４の大きさや形状の他、吸入口２０８までの距離、吸入口２０８の大きさに応じて任意に定めてよい。また、凸部３０１は整流板の効果により、凸部３０１の山の高さ（前後方向の長さ）を増すとその分空気を整流する効果が高くなる。また、凸部３０１の山の向きは真後ろに向けるだけでなく吸入口２０８へ向けるように傾斜することで整流効果が高まる。凸部３０１の山の向きを吸入口へ向けることは、本発明の金型構造上、実施していないが、凸部３０１を別部品で構成し格子部２０４に取り付けて配置してもよい。
【００１８】
一方、格子部２０４の径が吸入口２０８の径より大きいため格子部２０４を通過した空気は、吸入口２０８へ向うに従い絞られる形となる。そのため仮に、異なる径の複数の筒を同心円上に配置した凸部とした場合は、吸入口２０８へ向かうよう筒を傾斜させた先端のない円錐状の形となる。しかし、この形状は複雑なため、円筒ではなく切れ目を入れることが望ましく、円筒を分割して複数個の円弧状の凸部３０１を本発明では配置している。図４に凸部３０１ａ（左）を示したこの形を基本形状とし左右上下方向に同心円状に配置している。
【００１９】
本発明の凸部３０１は、吸入口２０８と略同一円弧の格子部２０４上の左右方向に２箇所凸部３０１ａ（左）３０１ａ（右）を配置しこの付近の吸引される空気を整流している。この左右の凸部３０１ａの間の凸部がない途切れた区間では、上下方向からの空気を吸入口２０８へ吸込みながら、中央凸部３０２により整流される。
【００２０】
一方で吸入口２０８より大きい径の格子部２０４の領域を凸部３０１ａで整流するには離れており、これを補うために凸部３０１ｂを上下方向に２箇所および右側に１箇所配置した。ちなみに左側は直線状の凸部３０３があるため配置していない。これらの凸部３０１ｂはいずれも吸引口２０８と同心円上に格子部２０４と同一円弧の形状にて配置されている。これにより、配置した凸部３０１ｂ付近を整流することで格子部２０４全体を整流し吸入口２０８へ空気を吸い込むことができる。
【００２１】
なお、本実施例では凸部３０１の高さは５ｍｍとし、前記した５箇所に配置している。
【００２２】
また、凸部３０１の高さが増すことで整流効果が高いため、本実施例では凸部３０１は格子部２０４の電動送風機側の面２０４ｂのみ配置しているが、格子部２０４の集塵側の面２０４ａへの配置や、またこれらを組み合わせてもよい。
（動作時の効果）
次に、本実施形態に係る電気掃除機１０１の動作について説明しながら作用効果について説明する。
【００２３】
電気掃除機１０１は、電動送風機２０１が空気を吸入口２０８から吸込むことによって、塵埃を同伴する空気を、前記した吸口体１０４（図１参照）等を介してホース継ぎ手２０７側から集塵室２０２内に吸引する。吸引された塵埃を同伴する空気は、紙パック２０６内に導入される。そして、紙パック２０６でろ過された空気は、フィルタ部２０５を介して電動送風機２０１の吸入口２０８から吸い込まれることとなる。この際、集塵室２０２内に吸引された空気に同伴する塵埃の大部分は、紙パック２０６で取り除かれると共に、フィルタ部２０５を空気が通過する。この空気は格子部２０４を通過し、電動送風機２０１の吸入口２０８から吸込まれ、電動送風機２０１の外へ排出される。この際、格子部２０４を通過する空気は、その流速が速いほど格子部２０４の流路抵抗は大きくなり損失も大きくなる。具体的には格子部２０４の集塵側の面２０４ａに空気が衝突し空気の乱れが生じ、空気は格子部２０４を通過し、電動送風機側の面２０４ｂを通過する際にも乱れが生じる。この乱れが流路抵抗となる。
【００２４】
しかし、本実施例で示すように格子部の電動送風機側の面２０４ｂに凸部３０１を設けることにより流れが整流され空気の乱れが軽減される。その結果、吸気抵抗を抑えて電気掃除機１０１の吸込仕事率を向上させることができる。これは、格子部の電動送風機側の面２０４ｂに凸部３０１を設けるほか、格子部の集塵側の面２０４ａに設置した場合でも同様の効果が得られる。
【００２５】
また、騒音と吸込仕事率のバランスにおいて、本実施形態では吸気抵抗を抑えることで、吸込仕事率の向上と、流体音を抑え騒音を低下することができる。
【符号の説明】
【００２６】
１０１  電気掃除機
１０２  ホース
１０３  延長管
１０４  吸口体
２０１  電動送風機
２０２  集塵室
２０３  電動送風機室
２０４  格子部
２０４ａ  格子部の集塵側の面
２０４ｂ  格子部の電動送風機側の面
２０５  フィルタ部
２０６  紙パック
２０７  ホース継ぎ手
２０８  吸入口
３０１  凸部
３０２  中央凸部
３０３  直線状の凸部
【図１】
2015217183.tif 000003
【図２】
2015217183.tif 000004
【図３】
2015217183.tif 000005
【図４】
2015217183.tif 000006
【図５】
2015217183.tif 000007
【図６】
2015217183.tif 000008